【手続補正書】
【提出日】平成19年10月18日(2007.10.18)
【手続補正１】
【補正対象書類名】明細書
【補正対象項目名】発明の名称
【補正方法】変更
【補正の内容】
【発明の名称】自動販売機
【手続補正２】
【補正対象書類名】明細書
【補正対象項目名】特許請求の範囲
【補正方法】変更
【補正の内容】
【特許請求の範囲】
【請求項１】  収納室内後壁に位置し上下方向に開口を設け上下方向に延在するダクトと、前記ダクトの下部に位置し、前記ダクト下部開口と接続するファンボックスと、前記ファンボックス内に設けられたファンと、前記ファンの前方に位置し、前記ファンボックスと接続するヒータボックスと、前記ヒータボックス内部に設けられたヒータとからなることを特徴とする自動販売機。
【請求項２】  ファンで送風される空気をヒータで加温し、加温された空気が収納室の収納棚に循環することにより商品を加温し、前記ファンと前記ヒータの間に前記ヒータの輻射熱を遮断する熱遮へい板を備えたことを特徴とする請求項１に記載の自動販売機。
【請求項３】  熱遮へい板は、円形に構成されたことを特徴とする請求項２に記載の自動販売機。
【請求項４】  熱遮へい板は、円形の周囲にヒータ側にふちを有したことを特徴とする請求項３に記載の自動販売機。
【請求項５】  ファンの周囲に位置しヒータ側に開口部を狭くする熱遮へい板を備えたことを特徴とする請求項２から４のいずれか一項に記載の自動販売機。
【請求項６】  熱遮へい板は、ファン側に頂点を有する円錐形としたことを特徴とする請求項２から５のいずれか一項に記載の自動販売機。
【請求項７】  熱遮へい板は、ルーバー形状に構成されたことを特徴とする請求項２に記載の自動販売機。
【請求項８】  熱遮へい板は、ファンとヒータの間に位置し、ヒータボックス内に設けられたことを特徴とする請求項２から７のいずれか一項に記載の自動販売機。
【手続補正３】
【補正対象書類名】明細書
【補正対象項目名】００１０
【補正方法】変更
【補正の内容】
【００１０】
またファンで送風される空気をヒータで加温し、加温された空気が収納室の収納棚に循環することにより商品を加温し、前記ファンと前記ヒータの間に前記ヒータの輻射熱を遮断する熱遮へい板からなるという構成を備えている。
【手続補正４】
【補正対象書類名】明細書
【補正対象項目名】００１２
【補正方法】変更
【補正の内容】
【００１２】
またファンとヒータの間に位置し、円形をした熱遮へい板からなるという構成を備えている。
【手続補正５】
【補正対象書類名】明細書
【補正対象項目名】００１３
【補正方法】変更
【補正の内容】
【００１３】
これにより、ファンは、熱遮へい板でヒータの輻射熱を防ぐためファンの温度上昇を抑えることができ、ファンの寿命が短くならない、ファンの信頼性を向上させることができる。
【手続補正６】
【補正対象書類名】明細書
【補正対象項目名】００１４
【補正方法】変更
【補正の内容】
【００１４】
またファンとヒータの間に位置し、円形をした熱遮へい板で円形の周囲にヒータ側にふちを設けるという構成を備えている。
【手続補正７】
【補正対象書類名】明細書
【補正対象項目名】００１５
【補正方法】変更
【補正の内容】
【００１５】
これにより、ファンは、熱遮へい板でヒータの輻射熱を防ぐとともに熱遮へい板の円形の周囲にヒータ側にふちを設けることによりファンより吐出される風が熱遮へい板の周囲にて乱流を発生させることがなくヒータボックスより吐出される風量の低下を防ぐことができる。
【手続補正８】
【補正対象書類名】明細書
【補正対象項目名】００１６
【補正方法】変更
【補正の内容】
【００１６】
またファンの周囲に位置しヒータ側に開口部を狭くする熱遮へい板と、ファンとヒータの間に位置し、円形をした熱遮へい板を設けるという構成を備えている。
【手続補正９】
【補正対象書類名】明細書
【補正対象項目名】００１７
【補正方法】変更
【補正の内容】
【００１７】
これにより、ファンは、熱遮へい板でヒータよりの直接の輻射熱を防ぐとともにヒータボックスより反射したヒータよりの間接の輻射熱も防ぐためファンの温度上昇を抑えることができ、ファンの寿命が短くならない、ファンの信頼性を向上させることができる。
【手続補正１０】
【補正対象書類名】明細書
【補正対象項目名】００１８
【補正方法】変更
【補正の内容】
【００１８】
またファンとヒータの間に位置し、熱遮へい板でファン側に頂点を有する円錐形とした構成を備えている。
【手続補正１１】
【補正対象書類名】明細書
【補正対象項目名】００１９
【補正方法】変更
【補正の内容】
【００１９】
これにより、ファンは、熱遮へい板でヒータの輻射熱を防ぐとともに熱遮へい板がファン側に頂点を有する円錐形のため空気抵抗が少なくなりファンの風量が低下することを防ぐことができる。
【手続補正１２】
【補正対象書類名】明細書
【補正対象項目名】００２０
【補正方法】変更
【補正の内容】
【００２０】
またファンとヒータの間に位置する熱遮へい板でルーバー形状を設けるという構成を備えている。
【手続補正１３】
【補正対象書類名】明細書
【補正対象項目名】００２１
【補正方法】変更
【補正の内容】
【００２１】
これにより、ファンは、熱遮へい板でヒータの輻射熱を防ぐためファンの温度上昇を抑えることができ、ファンの寿命が短くならない、ファンの信頼性を向上させることができる。また熱遮へい板がルーバー形状のため空気抵抗が少なくなり、ファンの風量が低下することを防ぐことができ、熱遮へい板がルーバー形状のため熱遮へい板を通過した風の向きは一定となり、収納棚の商品に均一に風があたり商品温度分布のバラツキを小さくすることができる。また、熱遮へい板は、ファンとヒータの間に位置し、ヒータボックス内に設けられるという構成を備えている。これにより、ファンは、熱遮へい板でヒータの輻射熱を防ぐためファンの温度上昇を抑えることができる。
【手続補正１４】
【補正対象書類名】明細書
【補正対象項目名】００２３
【補正方法】変更
【補正の内容】
【００２３】
請求項２に記載の発明は、請求項１に記載の発明に、さらにファンで送風される空気をヒータで加温し、加温された空気が収納室の収納棚に循環することにより商品を加温し、前記ファンと前記ヒータの間に前記ヒータの輻射熱を遮断する熱遮へい板を有したことからなり、ファンは、熱遮へい板でヒータの輻射熱を防ぐためファンの温度上昇を抑えることができ、ファンの寿命が短くならない、ファンの信頼性を向上させることができるという作用を有する。
【手続補正１５】
【補正対象書類名】明細書
【補正対象項目名】００２４
【補正方法】変更
【補正の内容】
【００２４】
請求項３に記載の発明は、請求項２に記載の発明に、さらに熱遮へい板は、円形に構成されたことからなり、ファンは、熱遮へい板でヒータの輻射熱を防ぐためファンの温度上昇を抑えることができ、ファンの寿命が短くならない、ファンの信頼性を向上させることができるという作用を有する。
【手続補正１６】
【補正対象書類名】明細書
【補正対象項目名】００２５
【補正方法】変更
【補正の内容】
【００２５】
請求項４に記載の発明は、請求項３に記載の発明に、さらに熱遮へい板は、円形の周囲にヒータ側にふちを有したことからなり、ファンは、熱遮へい板でヒータの輻射熱を防ぐとともに熱遮へい板の円形の周囲にヒータ側にふちを設けることによりファンより吐出される風が熱遮へい板の周囲にて乱流を発生させることがなくヒータボックスより吐出される風量の低下を防ぐことができるという作用を有する。
【手続補正１７】
【補正対象書類名】明細書
【補正対象項目名】００２６
【補正方法】変更
【補正の内容】
【００２６】
請求項５に記載の発明は、請求項２から４のいずれか一項に記載の発明に、さらにファンの周囲に位置しヒータ側に開口部を狭くする熱遮へい板を備えたことからなり、ファンは、熱遮へい板でヒータよりの直接の輻射熱を防ぐとともにヒータボックスより反射したヒータよりの間接の輻射熱も防ぐためファンの温度上昇を抑えることができ、ファンの寿命が短くならない、ファンの信頼性を向上させることができるという作用を有する。
【手続補正１８】
【補正対象書類名】明細書
【補正対象項目名】００２７
【補正方法】変更
【補正の内容】
【００２７】
請求項６に記載の発明は、請求項２から５のいずれか一項に記載の発明に、さらに熱遮へい板は、ファン側に頂点を有する円錐形としたことからなり、ファンは、熱遮へい板でヒータの輻射熱を防ぐためファンの温度上昇を抑えることができ、ファンの寿命が短くならない、ファンの信頼性を向上させることができ、熱遮へい板がファン側に頂点を有する円錐形のため空気抵抗が少なくなりファンの風量が低下することを防ぐことができるという作用を有する。
【手続補正１９】
【補正対象書類名】明細書
【補正対象項目名】００２８
【補正方法】変更
【補正の内容】
【００２８】
請求項７に記載の発明は、請求項２に記載の発明に、さらに熱遮へい板は、ルーバー形状に構成されたことからなり、ファンは、熱遮へい板でヒータの輻射熱を防ぐためファンの温度上昇を抑えることができ、ファンの寿命が短くならない、ファンの信頼性を向上させることができる。また熱遮へい板がルーバー形状のため空気抵抗が少なくなり、ファンの風量が低下することを防ぐことができ、熱遮へい板がルーバー形状のため熱遮へい板を通過した風の向きは一定となり、収納棚の商品に均一に風があたり商品温度分布のバラツキを小さくすることができるという作用を有する。また請求項８に記載の発明は、請求項２から７のいずれか一項に記載の発明に、さらに熱遮へい板は、ファンとヒータの間に位置し、ヒータボックス内に設けられたことからなり、熱遮へい板でヒータの輻射熱を防ぐためファンの温度上昇を抑えることができる。
【手続補正２０】
【補正対象書類名】明細書
【補正対象項目名】００７８
【補正方法】削除
【補正の内容】